(57)【要約】  各々プーリ溝を有するクランクプーリ及びコンプレッサプーリに対して、コンプレッサプーリにベルトを掛け渡した状態でクランクプーリのプーリ溝にベルトを嵌合させて、ベルトを緊張状態で巻き掛ける際に、コンプレッサプーリのベルト進入側でベルトが外れることを防止するベルト外れ防止治具（J1）において、コンプレッサプーリのプーリフランジ外側面に配置され、該プーリのプーリフランジに摺動可能に嵌合する嵌合溝（11a）と、クランクプーリのプーリフランジと嵌合してコンプレッサプーリの回転動作に伴う追従回転を防止する切欠部（10b）とを備える。
2012032738.tif 000002
【特許請求の範囲】
【請求項１】
少なくとも１個のフランジ付きプーリを含むプーリ溝を有する複数のプーリに対して、フランジ付きプーリに隣接する１個のプーリを除く他のプーリにベルトを掛け渡した状態で上記１個のプーリのプーリ溝に上記ベルトを嵌合させて、該ベルトを緊張状態で巻き掛ける際に、上記１個のプーリに隣接するフランジ付きの他のプーリのベルト進入側で上記ベルトが外れることを防止するベルト外れ防止治具であって、
上記他のプーリのプーリフランジ外側面に配置され、上記他のプーリのプーリフランジに摺動可能に嵌合する嵌合溝と、上記他のプーリの回転動作に伴う追従回転を防止する回転防止手段とを備えている
ことを特徴とするベルト外れ防止治具。
【請求項２】
請求項１に記載のベルト外れ防止治具において、
上記他のプーリのプーリフランジ外側面に配置され、上記嵌合溝が形成されると共に上記回転防止手段が設けられた治具本体を備え、
上記治具本体における上記他のプーリのベルト進入側に位置する箇所には、プーリ径方向外側に張り出すように外れ止めプレートが突設されている
ことを特徴とするベルト外れ防止治具。
【請求項３】
請求項１及び２のいずれか一方に記載のベルト外れ防止治具において、
上記嵌合溝よりもプーリ回転軸方向内側の外周縁部内側面は、プーリ溝側に向かって下傾する傾斜面を呈している
ことを特徴とするベルト外れ防止治具。
【請求項４】
請求項３に記載のベルト外れ防止治具において、
上記各プーリのプーリ溝は、並列に複数設けられ、各々、開口側から底側に向かって幅が狭くなる横断面Ｖ字状に形成されており、
上記嵌合溝よりもプーリ回転軸方向内側の外周縁部内側面は、上記嵌合溝が嵌合するプーリフランジと該プーリフランジに直近のプーリ溝との間に位置して、該プーリ溝の直近のプーリフランジ側側面と同じ角度で傾斜している
ことを特徴とするベルト外れ防止治具。
【請求項５】
請求項１〜４のいずれか１項に記載のベルト外れ防止治具において、
上記回転防止手段は、プーリ径方向外側に位置する箇所に、上記１個のプーリのプーリフランジ外周縁と嵌合するようにプーリ径方向内側に対応する方向に切り欠かれた切欠部で構成されている
ことを特徴とするベルト外れ防止治具。
【請求項６】
請求項１〜４のいずれか１項に記載のベルト外れ防止治具において、
上記回転防止手段は、プーリ径方向外側に位置する箇所に、上記他のプーリのベルト送り出し側で上記ベルトの背面に側面が当接するように設けられた当接片で構成されていることを特徴とするベルト外れ防止治具。
【請求項７】
請求項１〜４のいずれか１項に記載のベルト外れ防止治具において、
上記回転防止手段は、プーリ径方向外側に位置する箇所に、既存の構造体に係止されるように設けられた係止片で構成されている
ことを特徴とするベルト外れ防止治具。
【請求項８】
請求項１〜７のいずれか１項に記載のベルト外れ防止治具において、
上記他のプーリのプーリフランジ外側面に配置され、上記嵌合溝が形成されると共に上記回転防止手段が設けられた治具本体を備え、
上記治具本体は、上記他のプーリのプーリフランジに沿うように延びる環状に形成され、上記他のプーリ側に位置する一方側が該他のプーリのプーリフランジ外径よりも大きな内径を有する大内径部を、他方側が上記他のプーリのプーリフランジ外径よりも小さな内径を有する小内径部をそれぞれ構成し、
上記嵌合溝は、上記大内径部の長さ方向全体に亘って上記他のプーリのプーリフランジ外周縁よりも大径をなすように延びている
ことを特徴とするベルト外れ防止治具。
【請求項９】
請求項１〜７のいずれか１項に記載のベルト外れ防止治具において、
上記他のプーリのプーリフランジ外周面に配置され、上記嵌合溝が形成されると共に上記回転防止手段が設けられた治具本体を備え、
上記治具本体は、上記他のプーリのプーリフランジに沿うように延びる円弧状に形成され、
上記嵌合溝は、上記治具本体の長さ方向全体に亘って上記他のプーリのプーリフランジ外周縁に倣うように延びており、該プーリフランジの半周以下の長さであるか若しくはその両開放端の間隔が上記他のプーリのプーリフランジ直径以上の長さである
ことを特徴とするベルト外れ防止治具。
【請求項１０】
請求項１〜９のいずれか１項に記載のベルト外れ防止治具において、
把手をさらに備える
ことを特徴とするベルト外れ防止治具。
【発明の詳細な説明】
【技術分野】
【０００１】
本発明は、ベルト外れ防止治具に関し、特に、プーリにベルトを巻き掛ける過程でのベルト背面の損傷対策に関するものである。
【背景技術】
【０００２】
一般に、外周面にプーリ溝を有する複数のフランジ付きプーリにベルトを巻き掛けてなるベルト伝動装置は、全てのプーリに掛け渡したベルトに対して所定の張力を付与するためのオートテンショナなどの張力付与手段を備えている。【０００３】
このような張力付与手段を不要にするために、複数のプーリにベルトを取り付ける際に該ベルトを周方向に引き伸ばしてプーリフランジを乗り越えさせることにより、ベルトをプーリに取り付けるベルト取付治具が従来から提案されている。【０００４】
上記ベルト取付治具は、例えば２個のプーリにベルトを巻き掛ける場合、一方のプーリにベルトを掛け渡した状態で、他方のプーリに装着して使用されるものであり、その装着状態は、当該ベルト取付治具にベルトを掛け回し、他方のプーリにおいて、当該ベルト取付治具よりもプーリ回転方向後方に位置するベルト部分をプーリ溝に嵌合させると共に、当該ベルト取付治具のプーリ回転方向前方に位置するベルト部分をプーリの手前側側方に引き出すことにより、該ベルトとプーリ溝との間に挟着された状態である。なお、本明細書でいう「手前側」とは、ベルトの取付け作業を行う作業者側を意味し、「奥側」とは、上記作業者とは反対側を意味する。【０００５】
そして、ベルト取付治具は、上記装着状態とした後、治具装着側のプーリのセンターボルトをレンチなどの工具を用いて回転させ、当該ベルト取付治具をプーリ回転方向前方に進め、プーリ溝に嵌るベルトの範囲を徐々に広げることによって、最終的には治具装着側のプーリにもベルトを完全に巻き掛けるようになっている。【０００６】
このようにしてベルトをプーリに巻き掛ける際、ベルト取付治具に掛けたベルトは、治具装着側のプーリの手前側側方を通って他方のプーリに至るので、プーリを回転させながらベルトを巻き掛けようとすると、ベルトの巻掛けに伴い付与された張力によってベルトが他方のプーリにおけるベルト進入側でプーリ手前側側方に強く引っ張られ、他方のプーリから外れるおそれがある。そこで、このようなプーリからのベルト外れを防止するベルト外れ防止治具が知られている。【０００７】
例えば、特許文献１に開示のベルト外れ防止治具は、プーリフランジの外周側に位置する板状の外れ止めと、該外れ止めの底面に形成された係止溝と、上記外れ止めの底部からプーリ溝内面に沿うように突出する挟着部とを備え、上記係止溝でプーリフランジを挟み込むと共に上記挟着部をベルトとプーリ溝とで挟着して当該治具をプーリに固定し、上記外れ止めによりベルトがプーリ手前側に引っ張られてもプーリから外れることを防止するように構成されている。
【先行技術文献】
【特許文献】
【０００８】
【特許文献１】特許第４３６１９６１号公報
【発明の概要】
【発明が解決しようとする課題】
【０００９】
しかしながら、特許文献１のベルト外れ防止治具は、プーリからのベルト外れを防止できるものの、プーリに固定されて該プーリの回転動作に伴い追従回転するので、ベルトは、プーリ手前側側方への引張力により当該治具の追従回転に伴って外れ止めに徐々に乗り上げていき、この乗り上げにより傾いてベルト取付治具側のプーリ側面上で反転する。そうなると、ベルト取付治具のプーリ回転方向前方付近のベルト部分が捩れてその背面が当該ベルト取付治具側のプーリのプーリフランジに強く接触した状態となって、プーリにベルトを巻き掛ける過程でベルト背面がプーリフランジにより損傷してしまうおそれがある。【００１０】
また、特許文献１のベルト外れ防止治具では、当該治具の一部（狭着部）をベルトとプーリ溝との間に挟み込むので、プーリにベルトを巻き掛ける際に、その分だけベルトに付与される張力が高くなってプーリの回転動作が重くなり、プーリを回転させるために大きな力を要する。【００１１】
本発明は、斯かる点に鑑みてなされたものであり、その目的とするところは、複数のプーリにベルトを巻き掛ける際において、ベルト背面を損傷させることなく予めベルトを掛け渡したプーリからのベルト外れを防止し、且つプーリを回転させるために必要な力を低減することにある。
【課題を解決するための手段】
【００１２】
上記の目的を達成するために、この発明は、ベルト外れ防止治具がその一部をベルトとプーリ溝との間に挟み込まずにフランジ付きプーリに装着可能となるように、且つ装着先のプーリの回転動作に伴って追従回転しないようにその治具構造を工夫したものである。【００１３】
具体的には、本発明は、少なくとも１個のフランジ付きプーリを含むプーリ溝を有する複数のプーリに対して、フランジ付きプーリに隣接する１個のプーリを除く他のプーリにベルトを掛け渡した状態で上記１個のプーリ側のプーリ溝に上記ベルトを嵌合させて、該ベルトを緊張状態で巻き掛ける際に、上記１個のプーリに隣接するフランジ付きの他のプーリのベルト進入側で上記ベルトが外れることを防止するベルト外れ防止治具を対象とし、以下の解決手段を講じたものである。【００１４】
すなわち、第１の発明は、上記他のプーリのプーリフランジ外側面に配置され、上記他のプーリのプーリフランジに摺動可能に嵌合する嵌合溝と、上記他のプーリの回転動作に伴う追従回転を防止する回転防止手段とを備えていることを特徴とする。【００１５】
第２の発明は、第１の発明のベルト外れ防止治具において、上記他のプーリのプーリフランジ外側面に配置され、上記嵌合溝が形成されると共に上記回転防止手段が設けられた治具本体を備え、上記治具本体における上記他のプーリのベルト進入側に位置する箇所には、プーリ径方向外側に張り出すように外れ止めプレートが突設されていることを特徴とする。【００１６】
第３の発明は、第１及び第２の発明のいずれか一方のベルト外れ防止治具において、上記嵌合溝よりもプーリ回転軸方向内側の外周縁部内側面は、プーリ溝側に向かって下傾する傾斜面を呈していることを特徴とする。【００１７】
第４の発明は、第３の発明のベルト外れ防止治具において、上記各プーリのプーリ溝は、並列に複数設けられ、各々、開口側から底側に向かって幅が狭くなる横断面Ｖ字状に形成されており、上記嵌合溝よりもプーリ回転軸方向内側の外周縁部内側面は、上記嵌合溝が嵌合するプーリフランジと該プーリフランジに直近のプーリ溝との間に位置して、該プーリ溝の直近のプーリフランジ側側面と同じ角度で傾斜していることを特徴とする。【００１８】
第５の発明は、第１〜第４の発明のいずれか１つのベルト外れ防止治具において、上記回転防止手段は、プーリ径方向外側に位置する箇所に、上記１個のプーリのプーリフランジ外周縁と嵌合するようにプーリ径方向内側に対応する方向に切り欠かれた切欠部で構成されていることを特徴とする。【００１９】
第６の発明は、第１〜第４の発明のいずれか１つのベルト外れ防止治具において、上記回転防止手段は、プーリ径方向外側に位置する箇所に、上記他のプーリのベルト送り出し側で上記ベルトの背面に側面が当接するように設けられた当接片で構成されていることを特徴とする。【００２０】
第７の発明は、第１〜第４の発明のいずれか１つのベルト外れ防止治具において、上記回転防止手段は、プーリ径方向外側に位置する箇所に、既存の構造体に係止されるように設けられた係止片で構成されていることを特徴とする。【００２１】
第８の発明は、第１〜第７の発明のいずれか１つのベルト外れ防止治具において、上記他のプーリのプーリフランジ外側面に配置され、上記嵌合溝が形成されると共に上記回転防止手段が設けられた治具本体を備え、上記治具本体は、上記他のプーリのプーリフランジに沿うように延びる環状に形成され、上記他のプーリ側に位置する一方側が該他のプーリのプーリフランジ外径よりも大きな内径を有する大内径部を、他方側が上記他のプーリのプーリフランジ外径よりも小さな内径を有する小内径部をそれぞれ構成し、上記嵌合溝は、上記大内径部の長さ方向全体に亘って上記他のプーリのプーリフランジ外周縁よりも大径をなすように延びていることを特徴とする。【００２２】
第９の発明は、第１〜第７の発明のいずれか１つのベルト外れ防止治具において、上記他のプーリのプーリフランジ外周面に配置され、上記嵌合溝が形成されると共に上記回転防止手段が設けられた治具本体を備え、上記治具本体は、上記他のプーリのプーリフランジに沿うように延びる円弧状に形成され、上記嵌合溝は、上記治具本体の長さ方向全体に亘って上記他のプーリのプーリフランジ外周縁に倣うように延びており、該プーリフランジの半周以下の長さであるか若しくはその両開放端の間隔が上記他のプーリのプーリフランジ直径以上の長さであることを特徴とする。【００２３】
第１０の発明は、第１〜第９の発明のいずれか１つのベルト外れ防止治具において、把手をさらに備えることを特徴とする。
【発明の効果】
【００２４】
第１の発明によれば、ベルト外れ防止治具は、嵌合溝をプーリフランジと摺動可能に嵌合させることによって、当該治具の一部をベルトとプーリ溝との間に挟み込むことなくフランジ付きプーリに装着可能であるので、プーリにベルトを巻き掛ける際に、ベルトに付与される張力が低くなってプーリの回転動作が軽くなり、プーリを回転させるために必要な力を低減できる。このような装着状態のベルト外れ防止治具は、嵌合溝とプーリフランジとの嵌合により装着先のプーリからプーリ回転軸方向外側に脱離することが防止され、プーリにベルトを巻き掛ける際、装着先のプーリが回転しても、該プーリのプーリフランジが嵌合溝内を摺動し、且つ、回転防止手段によってプーリの回転動作に伴う追従回転が防止されるので、定位置及び定姿勢に保持される。これにより、ベルト外れ防止治具にベルトが乗り上げることを抑止できるため、ベルトが捩れてその背面が上記１個のプーリの外周縁部に強く接触した状態となることを防止できる。したがって、複数のプーリにベルトを巻き掛ける際において、ベルト背面を損傷させることなく予めベルトを掛け渡したプーリからベルトが外れることを防止でき、且つプーリを回転させるために必要な力を低減することができる。【００２５】
第２の発明によれば、治具本体における装着先のプーリのベルト進入側に位置する箇所に外れ止めプレートが突設されているので、該外れ止めプレートによってベルトがプーリから外れることを確実に防止できる。しかも、この外れ止めプレートによってベルトの内周面が上記１個のプーリ側を向くように該プーリ側にベルトを押さえてそのベルト姿勢を保持できるので、プーリへのベルトの巻掛けに伴う該ベルトとプーリの側面との摺動によってベルトが捩れることを防止でき、ベルト背面の損傷をより確実に防止することができる。【００２６】
第３の発明によれば、ベルト外れ防止治具の嵌合溝よりもプーリ回転軸方向内側の外周縁部内側面がプーリ溝側に向かって下傾する傾斜面を呈しているので、該ベルト外れ防止治具の外周縁部内側面がプーリ径方向に平行な面、又は反対側に傾斜した傾斜面、すなわちプーリ回転軸方向外側に向かって下傾する傾斜面を呈している場合に比べて、プーリに嵌合したベルトに対して当該ベルト外れ防止治具が当接することで加わる負荷を抑えることができる。これにより、プーリにベルトを巻き掛ける際にベルトが受けるダメージを低減することができる。【００２７】
第４の発明によれば、第３の発明の作用効果が具体的に奏され、横断面Ｖ字状のプーリ溝が複数並列に形成されたＶリブドベルト用のプーリにＶリブドベルトを巻き掛ける際に、該Ｖリブドベルトが受けるダメージを低減することができる。【００２８】
第５の発明によれば、ベルト外れ防止治具のプーリ径方向外側に位置する箇所に形成された切欠部を上記１個のプーリのプーリフランジ外周縁に嵌合させることにより、ベルト外れ防止治具が上記１個のプーリに係止されて装着先のプーリの回転動作に伴う当該ベルト外れ防止治具の追従回転が防止されるので、最小限の簡易な構成で本発明に係るベルト外れ防止治具を実現することができる。【００２９】
第６の発明によれば、ベルト外れ防止治具に設けられた当接片の側面が装着先のプーリのベルト送り出し側でベルトの背面に当接することにより、装着先のプーリの回転動作に伴う当該ベルト外れ防止治具の追従回転が防止されるので、簡易な構成で本発明に係るベルト外れ防止治具を実現することができる。【００３０】
第７の発明によれば、ベルト外れ防止治具に設けられた係止片が既存の構造体に係止されることにより、装着先のプーリの回転動作に伴う当該ベルト外れ防止治具の追従回転が防止されるので、簡易な構成で本発明に係るベルト外れ防止治具を実現することができる。【００３１】
第８の発明によれば、治具本体が環状に形成されているが、装着先のプーリのプーリフランジ外径よりも大きな内径の大内径部と、取付先のプーリのプーリフランジ外径よりも小さな内径の小内径部とを有し、大内径部の長さ方向全体に亘って嵌合溝が形成されているので、ベルト外れ防止治具は、大内径部が装着先のプーリのプーリフランジ径方向外側に位置するように該プーリフランジにその側方からプーリ回転軸方向に沿って被せた後に、プーリ径方向にスライドさせることで、プーリフランジの一部を嵌合溝に嵌合させて上記他のプーリに装着することができる。また、プーリに装着されたベルト外れ防止治具は、プーリ径方向にスライドさせてプーリフランジと嵌合溝との嵌合状態を解除した後に、プーリ回転軸方向外側に装着先のプーリから離間させることで、該プーリから取り外すことができる。このようにして取外し可能なベルト外れ防止治具は、装着先のプーリからプーリ径方向外側に意図せず外れることがないので、プーリにベルトを巻き掛けている最中に装着先のプーリから脱離することを良好に防止できる。【００３２】
第９の発明によれば、治具本体が円弧状であって、嵌合溝が、装着先のプーリのプーリフランジ外周縁に倣うように治具本体の長さ方向全体に亘って延び、装着先のプーリフランジの半周以下の長さであるか、若しくはその両開放端の間隔が装着先のプーリのプーリフランジ直径以上の長さであるので、ベルト外れ防止治具を装着先のプーリに対してその径方向外側から簡単に取り付けることが可能である。【００３３】
第１０の発明によれば、把手があることで、ベルト外れ防止治具の取り扱いを容易にでき、当該ベルト外れ防止治具のプーリへの脱着作業を簡単に行うことができる。
【図面の簡単な説明】
【００３４】
【図１】図１は、実施形態１に係るベルト外れ防止治具を表側から見た斜視図である。
【図２】図２は、実施形態１に係るベルト外れ防止治具を裏側から見た斜視図である。
【図３】図３は、実施形態１に係るベルト外れ防止治具の縦断面をプーリへの装着状態と共に示した図である。
【図４】図４は、ベルトが巻き掛けられたクランクプーリ及びコンプレッサプーリを示す側面図である。
【図５】図５は、プーリへのベルト取付工程の前半ステップを示す側面図である。
【図６】図６は、プーリへのベルト取付工程の後半ステップを示す側面図である。
【図７】図７は、実施形態２に係るベルト外れ防止治具を裏側から見た斜視図である。
【図８】図８は、実施形態２に係るベルト外れ防止治具を用いてプーリにベルトを取り付ける状態を示す側面図である。
【図９】図９は、実施形態３に係るベルト外れ防止治具を裏側から見た斜視図である。
【図１０】図１０（ａ）は、実施形態３に係るベルト外れ防止治具をプーリに装着した状態を示す側面図であり、図１０（ｂ）は、実施形態３に係るベルト外れ防止治具の縦断面をプーリへの装着状態と共に示す図３相当図である。
【図１１】図１１は、実施形態４に係るベルト外れ防止治具を裏側から見た斜視図である。
【図１２】図１２は、実施形態４に係るベルト外れ防止治具を用いてプーリにベルトを取り付ける状態を示す側面図である。
【図１３】図１３は、実施形態４の変形例に係るベルト外れ防止治具を裏側から見た斜視図である。
【図１４】図１４は、実施形態４の変形例に係るベルト外れ防止治具を用いてプーリにベルトを取り付ける状態を示す側面図である。
【発明を実施するための形態】
【００３５】
以下、本発明の実施形態を図面に基づいて詳細に説明する。なお、本発明は、以下の各実施形態に限定されるものではない。
【００３６】
《発明の実施形態１》
図１〜図３は、この実施形態１に係るベルト外れ防止治具Ｊ１を示す図である。図１は、ベルト外れ防止治具Ｊ１を表側から見た斜視図である。図２は、ベルト外れ防止治具Ｊ１を裏側から見た斜視図である。図３は、ベルト外れ防止治具Ｊ１の縦断面図である。また、図４は、ベルト外れ防止治具Ｊ１及びベルト取付治具Ｊ２を用いてＶリブドベルト（以下、単にベルトと称する）Ｂを巻き掛けた状態の２個のプーリ１，５を示す側面図である。なお、図３では、ベルト外れ防止治具Ｊ１のプーリ１に対する装着状態での関係をも示し、把手１６の図示は省略している。
【００３７】
本実施形態に係るベルト外れ防止治具Ｊ１は、図４に示すように、例えば、エンジンに搭載されたエンジン本体のクランク軸に連結されるクランクプーリ１と、同じくエンジンに搭載されたエアコンディショナーコンプレッサの入力軸に連結されるコンプレッサプーリ５とにベルトＢを緊張状態で巻き掛ける際に、後述するベルト取付治具Ｊ２と共に使用されるものである。
【００３８】
ベルトＢは、高伸縮性の繊維からなる心線を埋設した平ベルト状のベルト本体の内周面にベルトの周方向に延びる複数（本実施形態では３本）のＶリブが一体に形成されてなる。クランクプーリ１及びコンプレッサプーリ５は、所定の軸間距離を隔てて互いに近接した状態で回転自在に支持され、該軸間距離は変更不能とされている。図４中の矢印は各プーリ１，５の回転方向を示している。また、エンジンは、上記ベルトＢに対して張力を付与するオートテンショナ（張力付与手段）を備えていない。
【００３９】
上記コンプレッサプーリ５は、図３に示すように、外周面のプーリ回転軸方向両端に一対のプーリフランジ６が円環状に突設されたフランジ付きプーリである。これら一対のプーリフランジ６間の外周面には、ベルトＢ内周面のＶリブに嵌合する複数（本実施形態では３本）のプーリ溝７が並列に周方向に延びるように形成されている。これら各プーリ溝７は、開口側から底側に向かって幅が狭くなる横断面Ｖ字状に形成されている。このコンプレッサプーリ５のボス部には、エアコンディショナーコンプレッサ１００の入力軸１００ａがプーリ奥側から挿入され、該入力軸１００ａの先端部がプーリ手前側で図４に示すセンターボルト８により止められている。
【００４０】
上記クランクプーリ１も、外周面のプーリ回転軸方向両端に一対のプーリフランジ２が円環状に突設されたフランジ付きプーリである。図示しないが、これら一対のプーリフランジ２間の外周面にも、上記コンプレッサプーリ５と同様にベルト内周面のＶリブに嵌合する横断面Ｖ字状の複数（本実施形態では３本）のプーリ溝が形成されている。このクランクプーリ１の径方向中心に形成されたボス部には、エンジンのクランク軸がプーリ奥側から挿入され、該クランク軸の先端部がプーリ手前側でセンターボルト３により止められている。
【００４１】
ベルト外れ防止治具Ｊ１は、ベルトＢを掛け渡した状態のコンプレッサプーリ５に装着されて使用されるものである。このベルト外れ防止治具Ｊ１は、金属製であり、図１及び図２に示すように、内側に開口部１０ａを有する円環状の治具本体１０と、該治具本体１０の裏面側（使用時にプーリ回転軸方向内側に臨む面側）に治具本体径方向外側に張り出すように突設された外れ止めプレート１５と、上記治具本体１０の表面側（使用時にプーリ回転軸方向外側に臨む面側）に連結された把手１６とを備えている。
【００４２】
治具本体１０は、図３に示すように、コンプレッサプーリ５のプーリフランジ６外径よりも大きい外径を有している。この治具本体１０は、コンプレッサプーリ５側に位置する一方側が該コンプレッサプーリ５のプーリ外径よりも大きな内径を有する大内径部１１を、他方側がコンプレッサプーリ５のプーリ外径よりも小さな内径を有する小内径部１２をそれぞれ構成しており、これら大内径部１１と小内径部１２とが開口部１０ａ貫通方向に隣接して一体に形成されてなる。
【００４３】
上記小内径部１２は、大内径部１１よりも治具本体１０の径方向内側に突出した当接部１２ａを有している。この当接部１２ａは、当該ベルト外れ防止治具Ｊ１をコンプレッサプーリ５に装着した際に、そのプーリフランジ６側面に当接するようになっている。
【００４４】
上記大内径部１１の小内径部１２側には、治具本体１０の径方向外側に凹んでコンプレッサプーリ５のプーリフランジ６にプーリ径方向外側から摺動可能に嵌合する嵌合溝１１ａが形成されている。この嵌合溝１１ａは、大内径部１１の長さ方向全体に亘ってコンプレッサプーリ５のプーリフランジ６外周縁よりも大径をなすように延びている。
【００４５】
また、大内径部１１の嵌合溝１１ａよりもプーリ回転軸方向内側に位置する外周縁部内側面１１ｂは、嵌合溝１１ａが嵌合するプーリフランジ６と該プーリフランジ６に直近のプーリ溝７との間に位置して、該プーリ溝７の直近のプーリフランジ６側側面と連続するように該側面と同じ角度でプーリ溝７側に向かって下傾する傾斜面を呈している。これによって、当該ベルト外れ防止治具Ｊ１の外周縁部内側面１１ｂがプーリ径方向に平行な面、又は反対側に傾斜した傾斜面、すなわちプーリ回転軸方向外側に向かって下傾する傾斜面を呈している場合に比べて、コンプレッサプーリ５のプーリ溝７に嵌合したベルトＢに対して当該ベルト外れ防止治具Ｊ１が当接することで加わる荷重を抑えることができ、その結果、プーリ１，５にベルトＢを巻き掛ける際にベルトＢが受けるダメージを低減することができる。
【００４６】
この治具本体１０の外周面には、図１及び図２に示すように、回転防止手段として、クランクプーリ１のプーリフランジ２外周縁と嵌合するように該プーリフランジ２外周縁に倣って治具本体１０の径方向内側に湾曲状に切り欠かれた切欠部１０ｂが形成されている。これによって、ベルト外れ防止治具Ｊ１をコンプレッサプーリ５に装着する際には、上記切欠部１０ｂをクランクプーリ１のプーリフランジ２外周縁と嵌合させることにより、当該ベルト外れ防止治具Ｊ１がクランクプーリ１に係止されて位置決めされると共に、コンプレッサプーリ５の回転動作に伴う当該ベルト外れ防止治具Ｊ１の追従回転が防止されるようになっている。このように装着先のコンプレッサプーリ５の回転動作に伴う追従回転を防止する回転防止手段を治具本体外周面の切欠部１０ｂで構成することにより、最小限の簡易な構成で本発明に係るベルト外れ防止治具Ｊ１が実現されている。
【００４７】
なお、本実施形態では、切欠部１０ｂが治具本体１０の径方向内側に湾曲状に切り欠かれてなるとしているが、これに限らない。上記切欠部１０ｂは、治具本体１０の径方向内側にＶ字状やコ字状などの他の形状に切り欠かれて形成されていてもよく、クランクプーリ１のプーリフランジ２外周縁と嵌合してベルト外れ防止治具Ｊ１の追従回転を防止可能であれば、種々の形状を採用することができる。
【００４８】
外れ止めプレート１５は、コンプレッサプーリ５のベルト進入側に位置する治具本体１０の裏面箇所に溶接されている。この外れ止めプレート１５は、上記切欠部１０ｂと離間した位置から切欠部１０ｂ側に向かって次第に大きく張り出すように平面視で略台形状に形成されており、ベルトＢがコンプレッサプーリ５から外れることを確実に防止するようになっている。さらに、この外れ止めプレート１５が設けられていることにより、ベルトＢの内周面がクランクプーリ１側を向くように該プーリ１側にベルトＢを押さえてそのベルト姿勢を保持できるので、プーリ１，５へのベルトＢの取付けに伴う該ベルトＢとクランクプーリ１の側面との摺動によってベルトＢが捩れることをも防止できる。
【００４９】
把手１６は、一対の脚部１６ａを有する門型をなしており、治具本体１０の開口部１０ａを跨るように架設されて、上記各脚部１６ａの先端に設けられた扁平な留め代１６ｂが治具本体１０の互いに対向する箇所にボルト１７で留められている。この把手１６があることで、ベルト外れ防止治具Ｊ１の取り扱いを容易にでき、当該ベルト外れ防止治具Ｊ１のプーリ５への脱着作業を簡単に行うことができる。
【００５０】
上記構成のベルト外れ防止治具Ｊ１は、後に詳述するが、図３に２点鎖線で示すようにコンプレッサプーリ５のプーリフランジ６にその側方から被せて該プーリフランジ６側面を当接部１２ａに当接させ、その後に、プーリ径方向にスライドさせることでプーリフランジ６の一部を嵌合溝１１ａに嵌合させて、コンプレッサプーリ５に装着することができる。このようにコンプレッサプーリ５に装着したベルト外れ防止治具Ｊ１は、プーリフランジ６と嵌合溝１１ａとの嵌合によってコンプレッサプーリ５からプーリ回転軸方向外側に外れることがなく、且つコンプレッサプーリ５からプーリ径方向外側に外れることもないので、該プーリ５から意図せずに脱離することが良好に防止される。また、コンプレッサプーリ５に装着されたベルト外れ防止治具Ｊ１は、プーリ径方向にスライドさせてプーリフランジ６と嵌合溝１１ａとの嵌合状態を解除した後に、コンプレッサプーリ５の回転軸方向外側にコンプレッサプーリ５から離間させることで、該プーリ５から取り外すことができる。
【００５１】
上記のベルト外れ防止治具Ｊ１と共に使用するベルト取付治具Ｊ２は、コンプレッサプーリ５にベルトＢの一方側を掛け渡した状態で、該ベルトＢの他方側の掛け回しによってクランクプーリ１に装着されて使用されるものである。このベルト取付治具Ｊ２は、後にも参照する図５（ａ）に示すように、４つの突片を有する略十字状の金属製の板状物を折り曲げて形成され、一の突片がクランクプーリ１の外周面上でベルトＢの一部を受けて保持する保持部５０を構成し、他の突片のうちの保持部５０の左右一方に位置する突片がクランクプーリ１の側方に配置されるガイド部５１を構成している。
【００５２】
このベルト取付治具Ｊ２は、ベルトＢを、保持部５０上側を通してガイド部５１に掛け、当該ベルト取付治具Ｊ２のプーリ回転方向後方でクランクプーリ１のプーリ溝に嵌合させると共に、当該ベルト取付治具Ｊ２よりもプーリ回転方向前方でクランクプーリ１の手前側側方に引き出して、上記保持部５０をクランクプーリ１の外周面とベルトＢとの間に狭着することにより、クランクプーリ１に装着される。このような装着状態でベルト取付治具Ｊ２は、クランクプーリ１の回転動作に伴ってベルトＢと共にプーリ回転方向に移動することにより、該ベルトＢをクランクプーリ１のプーリ溝に嵌合させるように構成されている。
【００５３】
−使用方法−
次に、上記ベルト外れ防止治具Ｊ１及びベルト取付治具Ｊ２を使用してクランクプーリ１及びコンプレッサプーリ５にベルトＢを取り付ける方法について、図５及び図６を参照しながら一例を挙げて説明する。図５は、クランクプーリ１へのベルト取付工程の前半ステップを示す側面図である。図６は、クランクプーリ１へのベルト取付工程の後半ステップを示す側面図である。なお、図６（ａ）中の矢印は各プーリ１，５の回転方向を示している。
【００５４】
まず、図５（ａ）に示すように、コンプレッサプーリ５にベルトＢの一方側を掛け渡し、続いて、ベルト外れ防止治具Ｊ１を、切欠部１０ｂがクランクプーリ１のプーリフランジ２外周縁と嵌合するように、且つ、大内径部１１がコンプレッサプーリ５のプーリフランジ６径方向外側に位置するように、該プーリフランジ６にその側方からプーリ回転軸方向に沿って被せ、その後に、プーリ径方向にスライドさせることでプーリフランジ６の一部を嵌合溝１１ａに嵌合させて、コンプレッサプーリ５に装着する。このとき、外れ止めプレート１５によって、ベルトＢの内周面がクランクプーリ１側を向くように該プーリ１側にベルトＢを押さえてそのベルト姿勢を保持させる。
【００５５】
さらに、ベルトＢの他方側をベルト取付治具Ｊ２の保持部５０上側を通してガイド部５１に掛け、該ベルト取付治具Ｊ２のプーリ回転方向後方に位置するベルトＢ部分をクランクプーリ１のプーリ溝に嵌合させると共に、上記ベルト取付治具Ｊ２よりもプーリ回転方向前方に位置するベルトＢ部分をクランクプーリ１の手前側側方に引き出し、上記保持部５０をクランクプーリ１の外周面とベルトＢとの間に狭着することで、ベルト取付治具Ｊ２をクランクプーリ１に装着する。
【００５６】
次いで、図５（ｂ）に示すように、ベルト取付治具Ｊ２を装着したクランクプーリ１のセンターボルト３にレンチ３０を連結し、クランクプーリ１を手動で回転できるようにする。
【００５７】
続いて、クランクプーリ１をレンチ３０を用いて図５（ｂ）で時計回りに回転させることにより、図６（ａ）に示すように、ベルト取付治具Ｊ２がプーリ回転方向前方に進み、クランクプーリ１のプーリ溝に嵌合するベルトＢの範囲が徐々に広がっていく。
【００５８】
このとき、ベルト取付治具Ｊ２に掛けたベルトＢは、クランクプーリ１の手前側側方を通ってコンプレッサプーリ５に至るので、ベルトＢの巻掛けに伴い該ベルトＢに張力が付与される。ここで、ベルト外れ防止治具Ｊ１は、当該治具Ｊ１の一部をベルトＢとプーリ溝７との間に挟み込むことなくコンプレッサプーリ５に装着されているので、ベルト外れ防止治具の一部をベルトＢとプーリ溝７との間に挟み込んで当該治具をプーリ５に装着する場合に比べて、ベルトＢに付与される張力が低くなってプーリ１の回転動作が軽くなり、プーリ１を回転させるために必要な力が低減して小さくて済む。
【００５９】
また、ベルトＢは、付与された張力によってコンプレッサプーリ５のベルト進入側でプーリ手前側側方に強く引っ張られる。このようにベルトＢの引張力が作用することにより、当該ベルトＢはコンプレッサプーリ５から手前側に外れようとするが、ベルト外れ防止治具Ｊ１により、ベルトＢ背面を損傷させることなくコンプレッサプーリ５からベルトＢが外れることを防止できる。
【００６０】
つまり、ベルト外れ防止治具Ｊ１は、コンプレッサプーリ５のベルト進入側でそのプーリフランジ６の径方向外側に張り出している外れ止めプレート１５により、コンプレッサプーリ５からのベルト外れ、及びクランクプーリ１へのベルトＢの巻掛けに伴うベルトＢの捩れを確実に阻止できる。このベルト外れ防止治具Ｊ１は、コンプレッサプーリ５からのベルト外れを阻止することでベルトＢからプーリ手前側に作用する力を受けるが、嵌合溝１１ａがコンプレッサプーリ５のプーリフランジ６と嵌合していることによってコンプレッサプーリ５から脱離しない。そして、当該ベルト外れ防止治具Ｊ１は、クランクプーリ１へのベルトＢの巻掛けに伴って装着先のコンプレッサプーリ５が回転しても、該プーリ５のプーリフランジ６が嵌合溝１１ａ内を摺動し、且つ、クランクプーリ１のプーリフランジ２外周縁と切欠部１０ｂとの嵌合によってプーリ５の回転動作に伴う追従回転が防止されて、定位置及び定姿勢に保持される。これによって、外れ止めプレート１５もコンプレッサプーリ５のベルト進入側に位置した状態が維持されるので、クランクプーリ１へのベルトＢの巻掛けが完了するまでコンプレッサプーリ５からのベルト外れ、及びクランクプーリ１へのベルトＢの巻掛けに伴うベルトＢの捩れを確実に防止できる。また、ベルト外れ防止治具Ｊ１の追従回転が防止されることで、コンプレッサプーリ５のプーリフランジ６径方向外側に位置する大内径部１１及び外れ止めプレート１５にベルトＢが乗り上げることを抑止できるため、ベルトＢが捩れてその背面がクランクプーリ１のプーリフランジ２に強く接触した状態にならず、該ベルトＢ背面の損傷を防止できる。
【００６１】
クランクプーリ１を回転させていくと、ベルトＢは、ベルト取付治具Ｊ２のプーリ回転方向前方でクランクプーリ１の回転軸付近からプーリ径方向外側に向かって移動して、クランクプーリ１のプーリフランジ２外周縁に徐々に近づいていき、やがて、プーリフランジ２を乗り越えるようにして保持部５０上に乗ってプーリ溝７に完全に嵌合する。さらにそのままクランクプーリ１を回転させると、図６（ｂ）に示すように、ベルト取付治具Ｊ２がベルトＢから離れた状態となるので、その時点でクランクプーリ１の回転を止め、該クランクプーリ１からベルト取付治具Ｊ２を取り外すと共に、コンプレッサプーリ５からベルト外れ防止治具Ｊ１を取り外して、クランクプーリ１へのベルトＢの巻掛けが完了する。
【００６２】
以上のようにして、クランクプーリ１とコンプレッサプーリ５とにベルトＢを緊張状態で巻き掛けることができる。
【００６３】
−実施形態１の効果−
この実施形態１によると、ベルト外れ防止治具Ｊ１は、嵌合溝１１ａとコンプレッサプーリ５のプーリフランジ６との嵌合によって、当該治具Ｊ１の一部をベルトＢとプーリ溝７との間に挟み込むことなく、コンプレッサプーリ５に装着することができるので、プーリ１，５にベルトＢを巻き掛ける際にプーリ１を回転させるために必要な力を低減できる。さらに、ベルト外れ防止治具Ｊ１の追従回転がクランクプーリ１のプーリフランジ６と切欠部１０ｂとの嵌合により防止されるので、当該ベルト外れ防止治具Ｊ１を定位置及び定姿勢に保持して、ベルトＢが大内径部１１及び外れ止めプレート１５に乗り上げることを抑止できる。そして、外れ止めプレート１５によって、コンプレッサプーリ５からのベルト外れ、及びクランクプーリ１へのベルトＢの巻掛けに伴うベルトＢの捩れを確実に防止できる。したがって、一対のプーリ１，５にベルトＢを巻き掛ける際に、ベルトＢ背面を損傷させることなく予めベルトＢを掛け渡したコンプレッサプーリ５からベルトＢが外れることを防止でき、且つプーリ１を回転させるために必要な力を低減することができる。
【００６４】
《発明の実施形態２》
図７は、この実施形態２に係るベルト外れ防止治具Ｊ１を裏側から見た斜視図である。図８は、このベルト外れ防止治具Ｊ１を用いてプーリ１，５にベルトＢを取り付ける状態を示す側面図である。なお、本実施形態及び後に説明する実施形態３では、回転防止手段の構成が上記実施形態１と異なる他は上記実施形態１と同様に構成されているので、構成の異なる回転防止手段についてのみ説明し、同一の構成箇所は図１〜図６に基づく上記実施形態１の説明に譲ることにして、その詳細な説明を省略する。
【００６５】
上記実施形態１では、クランクプーリ１のプーリフランジ２外周縁と嵌合するように形成された切欠部１０ｂを回転防止手段としたが、本実施形態では、切欠部１０ｂに代え回転防止手段として、図７に示すように、治具本体１０の裏面に当接片である円柱状の当接ピン１８が突設されている。
【００６６】
この当接ピン１８は、コンプレッサプーリ５のベルト送り出し側でプーリ径方向外側に位置する箇所に形成され、ベルト外れ防止治具Ｊ１を用いてプーリ１，５にベルトＢを巻き掛ける際に、図８に示すように、その側面がベルトＢ背面に当接し、これによって、装着先のコンプレッサプーリ５の回転動作に伴う当該ベルト外れ防止治具Ｊ１の追従回転を防止するようになっている。
【００６７】
−実施形態２の効果−
したがって、この実施形態２によっても、簡易な構成で本発明に係るベルト外れ防止治具Ｊ１を実現することができる。しかも、当該ベルト外れ防止治具Ｊ１は、ベルトＢ背面に当接する当接ピン１８でベルト外れ防止治具Ｊ１の追従回転を防止する回転防止手段が構成されているので、クランクプーリ１とコンプレッサプーリ５とが比較的離れてる場合にも有効に使用でき、上記実施形態１と同様の効果を得ることができる。
【００６８】
《発明の実施形態３》
図９は、この実施形態３に係るベルト外れ防止治具Ｊ１を裏側から見た斜視図である。図１０は、このベルト外れ防止治具Ｊ１を用いてプーリ１，５にベルトＢを取り付ける状態を示す側面図である。
【００６９】
本実施形態のベルト外れ防止治具Ｊ１では、図９及び図１０（ａ）に示すように、治具本体１０に径方向外側に突出する突出部１９が設けられ、上記実施形態１での切欠部１０ｂに代え回転防止手段として、該突出部１９の裏面に係止片である円柱状の係止ピン２０が突設されている。
【００７０】
この係止ピン２０は、コンプレッサプーリ５のプーリ幅よりも長く、当該ベルト外れ防止治具Ｊ１を用いてプーリ１，５にベルトＢを巻き掛ける際に、図１０（ｂ）に示すように、既存の構造体である奥側のエアコンディショナーコンプレッサ１００に当たって係止され、装着先のコンプレッサプーリ５の回転動作に伴う当該ベルト外れ防止治具Ｊ１の追従回転を防止するようになっている。
【００７１】
−実施形態３の効果−
したがって、この実施形態３によっても、簡易な構成で本発明に係るベルト外れ防止治具Ｊ１を実現することができる。しかも、当該ベルト外れ防止治具Ｊ１は、エアコンディショナーコンプレッサ１００に係止される係止ピン２０でベルト外れ防止治具Ｊ１の追従回転を防止する回転防止手段が構成されているので、クランクプーリ１とコンプレッサプーリ５とが比較的離れている場合にも有効に使用でき、上記実施形態１と同様の効果を得ることができる。
【００７２】
《発明の実施形態４》
図１１は、この実施形態４に係るベルト外れ防止治具Ｊ１の裏側から見た斜視図である。図１２は、このベルト外れ防止治具Ｊ１を用いてプーリ１，５にベルトＢを取り付ける状態を示す側面図である。なお、本実施形態においても、上記実施形態１と同一又は対応する構成箇所は図１〜図６と同じ符合を付して、その詳細な説明を省略する。
【００７３】
本実施形態のベルト外れ防止治具Ｊ１は、外れ止めプレート１５及び把手１６がなく、治具本体１０の形状及び回転防止手段が上記実施形態１と異なる。
【００７４】
治具本体１０は、図１１に示すように、コンプレッサプーリ５のプーリフランジ６に半周に亘って沿うように延びる半円弧状に形成されている。大内径部１１に対応する裏側部分は、嵌合溝１１ａ形成箇所を除いてプーリフランジ６外径よりも内径が小さく、小内径部１２に対応する表側部分は、上記裏側部分よりも内径がさらに小さく、上記実施形態１の治具本体１０と同様に当接部１２ａを有している。そして、嵌合溝１１ａは、上記裏側部分の長さ方向全体に亘ってコンプレッサプーリ５のプーリフランジ６外周縁の半周に倣うように延びており、その全体にプーリフランジ６が隙間なく嵌合するようになっている。
【００７５】
この治具本体１０の裏面には、回転防止手段として、当接片である板状の当接プレート２１が突設されている。当接プレート２１は、上記実施形態２の当接ピン１８に相当し、コンプレッサプーリ５のベルト送り出し側でプーリ径方向外側に位置する箇所に形成され、ベルト外れ防止治具Ｊ１を用いてプーリ１，５にベルトＢを巻き掛ける際に、図１２に示すように、その側面がベルトＢ背面に当接し、これによって、装着先のコンプレッサプーリ５の回転動作に伴う当該ベルト外れ防止治具Ｊ１の追従回転を防止するようになっている。
【００７６】
このベルト外れ防止治具Ｊ１は、外れ止めプレート１５を備えていないが、プーリ１，５にベルトＢを巻き掛ける際には、コンプレッサプーリ５のプーリフランジ６の径方向外側に位置する治具本体１０部分によって、該コンプレッサプーリ５からのベルト外れが防止される。
【００７７】
−実施形態４の効果−
したがって、この実施形態４によっても、簡易な構成で本発明に係るベルト外れ防止治具Ｊ１を実現することができる。しかも、当該ベルト外れ防止治具Ｊ１は、ベルトＢ背面に当接する当接プレート２１でベルト外れ防止治具Ｊ１の追従回転を防止する回転防止手段が構成されているので、クランクプーリ１とコンプレッサプーリ５とが比較的離れてる場合にも有効に使用でき、上記実施形態１と同様の効果を得ることができる。
【００７８】
さらに、この実施形態４のベルト外れ防止治具Ｊ１は、外れ止めプレート１５も把手１６もない簡素な構造であるので、低コストで製造できる。また、当該ベルト外れ防止治具Ｊ１は、治具本体１０がコンプレッサプーリ５のプーリフランジ６外周縁の半周に倣うように延びる嵌合溝１１ａを有する半円弧状であるので、コンプレッサプーリ５に対してその径方向外側から簡単に装着することができる。
【００７９】
＜実施形態４の変形例＞
図１３は、この変形例に係るベルト外れ防止治具Ｊ１を裏側から見た斜視図である。図１４は、このベルト外れ防止治具Ｊ１を用いてプーリ１，５にベルトＢを取り付ける状態を示す側面図である。
【００８０】
上記実施形態４では、治具本体１０が半円弧状に形成されているとしたが、本変形例では、図１３に示すように、治具本体１０がコンプレッサプーリ５のプーリフランジ６に半周超に亘って沿うように延びる円弧状（優弧状）に形成されている。そして、治具本体１０の長さ方向全体に形成された嵌合溝１１ａは、その両開放端底部の間隔ｄがコンプレッサプーリ５のプーリフランジ６直径以上の長さであり、両開放端側部分で、該間隔ｄが一定となっていて、中央側から開放端に向かって徐々に深くなるように形成されている。
【００８１】
この変形例の構成によっても、嵌合溝１１ａの両開放端底部の間隔ｄがコンプレッサプーリ５のプーリフランジ６直径よりも大きいので、図１４に示すようにコンプレッサプーリ５に対して径方向外側から簡単に装着することができる。その他についても、上記実施形態４と同様の効果を得ることができる。
【００８２】
以上、本発明の好ましい実施形態について説明したが、本発明の技術的範囲は上記実施形態に記載の範囲に限定されない。上記実施形態が例示であり、それらの各構成要素や各処理プロセスの組合せに、さらにいろいろな変形例が可能なこと、またそうした変形例も本発明の範囲にあることは当業者に理解されるところである。
【００８３】
例えば、上記実施形態１〜３では、外れ止めプレート１５及び把手１６を備える構成について説明したが、外れ止めプレート１５及び把手１６の一方若しくは両方がなくても構わない。外れ止めプレート１５を備えない場合には、上記実施形態４と同様に、コンプレッサプーリ５のプーリフランジ６の径方向外側に位置する治具本体部分（大内径部１１）によって、該コンプレッサプーリ５からのベルト外れが防止される。
【００８４】
一方、上記実施形態４では、外れ止めプレート１５及び把手１６を備えない構成について説明したが、これに限らず、外れ止めプレート１５及び把手１６の一方若しくは両方を備えていてもよい。
【００８５】
また、上記実施形態４では治具本体１０が半円弧状に形成されているとし、その変形例として治具本体１０が優弧状に形成されている場合の一構成例を示したが、本発明はこれに限らず、治具本体１０は、コンプレッサプーリ５のプーリフランジ６に半周未満に亘って沿うように延びる円弧状（劣弧状）に形成されていても構わない。また、治具本体１０が優弧状に形成されている場合には、大内径部１１を有していれば、嵌合溝１１ａの両開放端底部の間隔ｄがコンプレッサプーリ５のプーリフランジ６直径よりも小さくてもよい。この場合は、上記実施形態１と同様に、ベルト外れ防止治具Ｊ１を、コンプレッサプーリ５のプーリフランジ６にその側方から被せて該プーリフランジ６側面を当接部１２ａに当接させた後に、プーリ径方向にスライドさせてプーリフランジ６の一部を嵌合溝１１ａに嵌合させることで、コンプレッサプーリ５に装着することができ、当該ベルト外れ防止治具Ｊ１が該プーリ５から意図せず脱離することを良好に防止できる。
【００８６】
また、上記実施形態３では、係止ピン２０がエアコンディショナーコンプレッサ１００に当たって係止されるとしたが、これに限らず、係止ピン２０はエンジンの他箇所やその他の既存の構造体に係止することで、装着先のコンプレッサプーリ５の回転動作に伴うベルト外れ防止治具Ｊ１の追従回転を防止するようになっていてもよい。
【００８７】
上記実施形態１〜４では、クランクプーリ１及びコンプレッサプーリ５の２個のプーリにベルトＢを巻き掛ける場合を例に挙げて説明したが、本発明に係るベルト外れ防止治具Ｊ１は、３個以上のプーリにベルトＢを緊張状態で巻き掛ける場合にも勿論適用することができる。
【００８８】
また、クランクプーリ１は、フランジ付きプーリでなくてもよく、本発明に係るベルト外れ防止治具Ｊ１は、当該治具Ｊ１を使用してベルトＢを取り付ける複数のプーリのうち当該治具装着先のプーリが少なくともフランジ付きプーリであれば適用可能である。
【００８９】
またその他、上記実施形態１〜４では、プーリ１，５に巻き掛けるベルトとしてＶリブドベルトＢを例に挙げて説明したが、本発明に係るベルト外れ防止治具Ｊ１の使用対象とするベルトはこれに限らず、平ベルトやＶベルトなどのＶリブドベルト以外のベルトであっても構わない。
【産業上の利用可能性】
【００９０】
以上説明したように、本発明は、ベルト外れ防止治具について有用であり、特に、複数のプーリにベルトを巻き掛ける際において、ベルト背面を損傷させることなく予め掛け渡したプーリからのベルト外れを防止し、且つプーリを回転させるために必要な力を低減することが要望されるベルト外れ防止治具に適している。
【符号の説明】
【００９１】
Ｂ        Ｖリブドベルト
Ｊ１      ベルト外れ防止治具
１        クランクプーリ
５        コンプレッサプーリ
２，６    プーリフランジ
７        プーリ溝
１０      治具本体
１０ｂ    切欠部（回転防止手段）
１１      大内径部
１１ａ    嵌合溝
１１ｂ    内側面
１２      小内径部
１５      外れ止めプレート
１６      把手
１８      当接ピン（当接片）
２０      係止ピン（係止片）
２１      当接プレート（当接片）
【図１】
2012032738.tif 000003
【図２】
2012032738.tif 000004
【図３】
2012032738.tif 000005
【図４】
2012032738.tif 000006
【図５】
2012032738.tif 000007
【図６】
2012032738.tif 000008
【図７】
2012032738.tif 000009
【図８】
2012032738.tif 000010
【図９】
2012032738.tif 000011
【図１０】
2012032738.tif 000012
【図１１】
2012032738.tif 000013
【図１２】
2012032738.tif 000014
【図１３】
2012032738.tif 000015
【図１４】
2012032738.tif 000016
【国際調査報告】
2012032738.tif 000017
2012032738.tif 000018
2012032738.tif 000019
2012032738.tif 000020